(57)【特許請求の範囲】
【請求項１】
ケースの内部前側に平行状に設けられた複数の前ルーバと、少なくとも一の前ルーバの前面側から当該前ルーバを挟むように取り付けられた前ルーバの長さ方向に摺動可能な操作ノブと、前記一の前ルーバの後側に前ルーバとの交差方向に沿って設けられると共に、前記操作ノブの後部に延びた係止片が係止されて操作ノブのスライドにより回動して角度調整が行われる後ルーバとを備え、
前記一の前ルーバの外面の後端部に、長さ方向のガイド凹部が段下がり状に形成され、このガイド凹部に係合すると共に前記スライドによってガイド凹部を摺接する係合爪が前記操作ノブの後端部に形成されてなることを特徴とする風向調整装置。
【請求項２】
請求項１に記載の風向調整装置であって、
前記一の前ルーバの外面におけるガイド凹部を除く部分と前記操作ノブとの間に、隙間が形成されてなることを特徴とする風向調整装置。
【請求項３】
請求項１又は請求項２に記載の風向調整装置であって、
前記ガイド凹部の両端部には、前記係合爪が当接するストッパ部が形成されてなることを特徴とする風向調整装置。
【請求項４】
請求項１乃至請求項３何れかに記載の風向調整装置であって、
前記操作ノブの内部には、前記一の前ルーバの前端の上下面を線接触によって支持する支持部材が設けられてなることを特徴とする風向調整装置。
【請求項５】
請求項４に記載の風向調整装置であって、
前記支持部材は、前記一の前ルーバの前端の上下面が摺接するリブであることを特徴とする風向調整装置。
【請求項６】
請求項４記載の風向調整装置であって、
前記支持部材は、前記一の前ルーバの前端の上下面が摺接する弾性体であることを特徴とする風向調整装置。
【請求項７】
請求項６記載の風向調整装置であって、
前記弾性体は低摩擦性樹脂であることを特徴とする風向調整装置。
【発明の詳細な説明】
【０００１】
【発明の属する技術分野】
本発明は、空気を吹き出す吹き出し装置に支持されてなり、該空気、つまり風の吹き出す向きを調整する風向調整装置に関する。
【０００２】
【従来の技術】
図９及び図１０は、実開平２−６０００８号公報に記載された従来の風向調整装置を示す。
【０００３】
図９において、符号１は、前後が開口されたケースであり、図示しない空気を吹き出す吹き出し装置、例えば自動車のインストルメントパネルに装着されてなる空気調整装置の吹き出し部に支持されてなる。
【０００４】
該ケース１の内部前側には、水平状の複数の前ルーバ２が間隔を有して上下方向に形成されている。
【０００５】
又、前記ケース１の内部後側には、垂直状の複数の後ルーバ３が間隔を有して左右方向に設けられている。
【０００６】
該後ルーバ３の上下端部には、ピン部３ａが突設しており、このピン部３ａがケース１の上下面１ａ，１ｂに回転可能に挿入されることにより、後ルーバ３の角度の調整可能となっている。
【０００７】
該後ルーバ３の角度調整を行うため、一の前ルーバ２に操作ノブ４が取り付けられている。
【０００８】
該操作ノブ４は、上下で対向する一対の挟持部４ａ、４ｂを有し、この挟持部４ａ、４ｂが一の前ルーバ２を挟むように前面側から取り付けられており、操作ノブ４は挟持部４ａ、４ｂが前ルーバ２の上下面２ａ，２ｂに接触した状態で取り付けられる。
【０００９】
又、上部の挟持部４ａの自由端側には、係合爪５、５が屈曲されており、この係合爪５、５が前ルーバ２の後端面２ｃに引っ掛けられることにより、操作ノブ４の抜け止めがなされている。
【００１０】
さらに、操作ノブ４の下部の挟持部４ｂには、左右一対の係止片６が後方側に延びており、この係止片６が一の後ルーバ３を挟み込んでいる。
【００１１】
従って、操作ノブ４を前ルーバ２の長さ方向に摺動させることにより、一の後ルーバ３がピン部３ａを中心に回転して角度調整を行うことができる。
【００１２】
なお、隣接する他の後ルーバ３は、連結片７によって相互に連結されており、これにより一の後ルーバ３の動きに連動して他の全ての後ルーバ３が同時に、同方向に回転して風向の調整を行うことができるので、図１０で右側より移動してきた風が該後ルーバ３によって曲げられて、ケース１より吹き出されることになる。
【００１３】
又、前ルーバ２の後端面２ｃには、ストッパ８が所定間隔を有して突出されており、このストッパ８に係合爪５が当接することによって、操作ノブ４のそれ以上の摺動が停止される。
【００１４】
【発明が解決しようとする課題】
しかしながら、従来の風向調整装置では、操作ノブ４の前ルーバ２からの抜け止めのために、操作ノブ４全体に弾性力があるように形成されているので、前記係合爪５が圧接する一の前ルーバ２の上下面２ａ，２ｂに操作ノブ４の挟持部４ａ、４ｂも圧接している。
【００１５】
この状態で、操作ノブ４が摺動するため、前ルーバ２の上下面２ａ，２ｂを該操作ノブ４の挟持部４ａ、４ｂが擦ることで、該前ルーバ２の上下面２ａ，２ｂに擦過傷を発生させるおそれがある。この擦過傷は、露出して見える位置にあるため、前ルーバ２の上下面２ａ，２ｂの外観を劣化させる問題を有している。
【００１６】
又、操作ノブ４の挟持部４ａ、４ｂの前面４ｃが、前ルーバ２の前端面２ｄに接触した状態で摺動するため、摺動時の摩擦抵抗が大きく、操作ノブ４の摺動操作がしにくくなるおそれがある。
【００１７】
又、前ルーバ２の後端面２ｃに突出されてなるストッパ８に、風が干渉して該風の乱流が生じてしまうおそれがある。
【００１８】
本発明は、このような従来の問題点を考慮してなされたものであり、操作ノブの摺動によって傷が発生しても、外部から見えることなく外観の劣化を防止でき、しかも操作ノブを小さな力で操作することが可能で、乱流が生じにくい風向調整装置を提供することを目的とする。
【００１９】
【課題を解決するための手段】
上記目的を達成するため、請求項１の発明は、ケースの内部前側に平行状に設けられた複数の前ルーバと、少なくとも一の前ルーバの前面側から当該前ルーバを挟むように取り付けられた前ルーバの長さ方向に摺動可能な操作ノブと、前記一の前ルーバの後側に前ルーバとの交差方向に沿って設けられると共に、前記操作ノブの後部に延びた係止片が係止されて操作ノブのスライドにより回動して角度調整が行われる後ルーバとを備え、前記一の前ルーバの外面の後端部に、長さ方向のガイド凹部が段下がり状に形成され、このガイド凹部に係合すると共に前記スライドによってガイド凹部を摺接する係合爪が前記操作ノブの後端部に形成されてなることを特徴とする。
【００２０】
請求項２の発明は、請求項１に記載の風向調整装置であって、前記一の前ルーバの外面におけるガイド凹部を除く部分と前記操作ノブとの間に、隙間が形成されてなることを特徴とする。
【００２１】
請求項３の発明は、請求項１又は請求項２に記載の風向調整装置であって、前記ガイド凹部の両端部には、前記係合爪が当接するストッパ部が形成されてなることを特徴とする。
【００２２】
請求項４の発明は、請求項１乃至請求項３何れかに記載の風向調整装置であって、前記操作ノブの内部には、前記一の前ルーバの前端の上下面を線接触によって支持する支持部材が設けられてなることを特徴とする。
【００２３】
請求項５の発明は、請求項４に記載の風向調整装置であって、前記支持部材は、前記一の前ルーバの前端の上下面が摺接するリブであることを特徴とする。
【００２４】
請求項６の発明は、請求項４記載の風向調整装置であって、前記支持部材は、前記一の前ルーバの前端の上下面が摺接する弾性体であることを特徴とする。
【００２５】
請求項７の発明は、請求項６記載の風向調整装置であって、前記弾性体は低摩擦性樹脂であることを特徴とする。
【００２６】
【発明の効果】
請求項１の発明によれば、操作ノブを一の前ルーバに沿ってスライドさせることにより、操作ノブの係止片が係止している後ルーバが回動するため、後ルーバの角度の調整が行われる。
【００２７】
この構造では、操作ノブに後端部に形成された係合爪が一の前ルーバのガイド凹部に係合しているため、前ルーバから脱落することがない。操作ノブのスライドにおいては、係合爪が一の前ルーバに摺接しているため、係合爪がガイド凹部を摺動し、この摺動によってガイド凹部の表面に擦過傷が発生する可能性がある。しかしながら、ガイド凹部は一の前ルーバの後端部に段下がり状に形成されているため、外部、特に前方側から見えることがなく、表面に傷が発生しても外部から見えない。このため、外観が劣化することがなくなる。
【００２８】
請求項２の発明によれば、ガイド凹部を除く一のルーバの外面と操作ノブとの間に隙間が形成されることにより、操作ノブのスライド時の一のルーバの外面と操作ノブとの摩擦抵抗が小さくなる。このため、小さな力で操作ノブのスライドを行うことができ、スライド操作が容易となる。
【００２９】
請求項３の発明によれば、ストッパ部がガイド凹部の両端に形成されてなるので、前ルーバに当たる風に乱流は生じ無いことになる。
【００３０】
請求項４の発明によれば、操作ノブの内部に設けた支持部材が一の前ルーバの前端に線接触で接触するため、操作ノブのスライドが安定する。特に、支持部材が一の前ルーバの前端の上下面に対して線接触するため、操作ノブが上下方向で支持され、がたつきのないスライドを行うことができる。
【００３１】
請求項５の発明によれば、支持部材がリブのため、一の前ルーバの前端に確実に線接触でき、安定した支持ができる。
【００３２】
請求項６の発明によれば、支持部材が弾性体のため、スライド時の操作ノブのがたつきを吸収でき、安定したスライドが可能となる。又、操作ノブが軽い接触圧で支持されるため、スライドを軽く行うことができる。
【００３３】
請求項７の発明によれば、支持部材が低摩擦性樹脂のため、摩擦抵抗が小さくなり、操作ノブのスライドを小さな力で行うことができる。
【００３４】
【発明の実施の形態】
図１は、本発明の一実施形態の正面側からの斜視図、図２は背面からの斜視図であり、外殻となるケース９が合成樹脂によって形成されている。
【００３５】
該ケース９は、前後が開口されており、図示を省略したインストルメントパネルの空気吹き出し部に装着される。
【００３６】
ケース９の内部前側の開口部には、複数の前ルーバ１０が配置される一方、ケース９の後側の開口部には、図５に示すように、複数の後ルーバ１１が配置される。
【００３７】
前ルーバ１０は、ケース９の左右の側壁９ａに水平状に掛け渡されるように、ケース９と一体的に形成されており、その中の一の前ルーバ１０ａに操作ノブ１２が取り付けられる。
【００３８】
ケース９の上面壁９ｂは、造形的に図１の右側が高く、同左側が低くなる斜面状に形成されてなるので、図２に示すように、左側の第１の支持板１３が高い位置に、又右側の第２の支持板１４が該第１の支持板１３より低い位置に夫々水平方向に一体的に形成されている。
【００３９】
これらの支持板１３、１４には、複数のピン孔１５が形成されており、ケース９の底面９ｃ後部には、このピン孔１５に対向するピン孔１６が複数形成されている。
【００４０】
前記後ルーバ１１は、これらのピン孔１５、１６に挿入されるピン１７（図５参照）を有しており、これらのピン孔１５、１６にピン１７が挿入されることによって、図２にピン１７の軸線１７ａを鎖線で示すように、前ルーバ１０と直角状に交差する方向に配置される。
【００４１】
隣接する後ルーバ１１相互は、連結板１８によって連結されるものであり、連結板１８は図５に示すように、後ルーバ１１の下部に設けられて隣接する後ルーバ１１を連結する。
【００４２】
このように連結板１８によって連結されることにより、一の後ルーバ１１が回動して角度変更すると、全ての後ルーバ１１が同時に、同方向に回動して角度変更され、これにより、風向調整が行われる。
【００４３】
操作ノブ１２は、一の前ルーバ１０ａに対して、その前面側から取り付けられる。この操作ノブ１２は、一の前ルーバ１０ａの長さ方向に沿ってスライド可能となっている。
【００４４】
図４は、操作ノブ１２を示し、上下の挟持片１９が前端部分で連設されることにより全体が横Ｕ字形に形成されている。それぞれの挟持片１９の後端部には、内方に屈曲された係合爪２０が形成されており、この係合爪２０が一の前ルーバ１０ａに係合することにより、後述するように操作ノブ１２の脱落が防止される。
【００４５】
又、下部の挟持片１９には、一対の係止片２１が間隔を有して後側に突設されている。この係止片２１、２１の間に、複数の後ルーバの内の一の後ルーバ１１の先端が挿入される。これにより、操作ノブ１２がスライドすると、一の後ルーバ１１が回動し、この回動が連結板１８を介して全部の後ルーバ１１に伝達されて、後ルーバ１１全体の角度調整が行われる。
【００４６】
このような操作ノブ１２に対し、一の前ルーバ１０ａには、ガイド凹部２２が形成されている。
【００４７】
ガイド凹部２２は、図３に示すように一の前ルーバ１０ａの上下の外面２３の後端部に形成される。このガイド凹部２２は、一の前ルーバ１０ａの後端部に段下がり状に形成されると共に、一の前ルーバ１０ａの長さ方向に沿って延びている。このように段下がり状に形成されることにより、ガイド凹部２２は外部、すなわち前ルーバ１０の前方側から見えることがなくなる。
【００４８】
かかるガイド凹部２２には、操作ノブ１２の係合爪２０、２０が係合し、この係合によって操作ノブ１２の脱落が防止される。さらに、ガイド凹部２２の両端の両側面は立ち上がり状となっており、これにより操作ノブ１２の係合爪２０が当接して、操作ノブ１２のスライドを停止させるストッパ部２４となっている。
【００４９】
さらに、操作ノブ１２の挟持片１９、１９と、一の前ルーバ１０ａの上下の外面２３、２３との間には、図６に示すように一定の隙間２５、２５が形成されており、これらの接触が防止されている。
【００５０】
このような構造では、操作ノブ１２をスライドさせることにより、後ルーバ１１の角度調整が行われるが、このスライドにあっては、操作ノブ１２の係合爪２０が一の前ルーバ１０ａのガイド凹部２２を摺動するため、安定的なスライドが可能となっている。
【００５１】
この摺動によってガイド凹部２２に、擦過傷が発生しても、前記したようにガイド凹部２２が一の前ルーバ１０ａの外面から段下がり状に形成されているため、外部から見えることがなく、発生した傷が外部から見えない。このため、傷が発生しても外観が劣化することがなくなる。
【００５２】
又、操作ノブ１２の挟持片１９と一の前ルーバ１０ａの外面２３との間に隙間２５が形成されていることにより、摩擦抵抗が小さくなり、操作ノブ１２を軽くスライドさせることができ、操作性が向上する。
【００５３】
図６及び図７は、操作ノブ１２及び一の前ルーバ１０ａの内部構造を示し、一の前ルーバ１０ａの前端がテーパ状となっている。このテーパ状の前端の上下面に対し、線接触することにより支持する支持部材が操作ノブ１２の内部に設けられている。支持部材は、操作ノブ１２の内部に形成されたリブ２６及び弾性体２７によって構成されている。
【００５４】
リブ２６は、図７に示すように、左右で一対となっており、それぞれが一の前ルーバ１０ａの前端の上下面に摺接している。この摺接によって操作ノブ１２と一の前ルーバ１０ａとが線接触で接触するため、操作ノブ１２への荷重が安定して操作ノブ１２ががたつくことなく支持されるため、安定したスライドを行うことができる。
【００５５】
弾性体２７も同様であり、一の前ルーバ１０ａの前端の上下面に摺接している。この弾性体２７が摺接することにより、操作ノブ１２の安定して支持が可能となっているが、これに加えて弾性体２７が軽く接触するため、スライドを軽く行うことができる。
【００５６】
かかる弾性体２７としては、シリコン樹脂、フッ素樹脂等の底摩擦性合成樹脂を使用することができる。このように低摩擦性合成樹脂を使用することにより、スライド時の摩擦抵抗が小さくなり、操作ノブのスライドを小さな力で行うことができるメリットがある。
【００５７】
なお、支持部材としては、リブ２６又は弾性体２７にいずれか一方を備えるものであっても良い。
【００５８】
図８は、インストルメントパネルに合わせるため、ケース９の上下面を傾斜させた場合を示し、この場合は第１の支持板１３及び第２の支持板１４を上下一対とすることにより、後ルーバ１１を良好に支持することができる。
【図面の簡単な説明】
【図１】本発明の一実施形態の全体の斜視図である。
【図２】背面からの全体斜視図である。
【図３】一の前ルーバと操作ノブを示す斜視図である。
【図４】操作ノブの斜視図である。
【図５】前ルーバと後ルーバとの関係を示す側面図である。
【図６】前ルーバと操作ノブとの関係を示す断面図である。
【図７】前ルーバと操作ノブとの関係を示す平面図である。
【図８】ケースの別形状を示す背面図である。
【図９】従来の装置の全体斜視図である。
【図１０】従来の装置の部分斜視図である。
【符号の説明】
９  ケース
１０  前ルーバ
１０ａ  一の前ルーバ
１１  後ルーバ
１２  操作ノブ
１９  挟持片
２０  係合片
２１  係止片
２２  ガイド凹部
２３  外面
２４  ストッパ部
２５  隙間
２６  リブ
２７  弾性体
【図１】
0003691203.tif 000002
【図２】
0003691203.tif 000003
【図３】
0003691203.tif 000004
【図４】
0003691203.tif 000005
【図５】
0003691203.tif 000006
【図６】
0003691203.tif 000007
【図７】
0003691203.tif 000008
【図８】
0003691203.tif 000009
【図９】
0003691203.tif 000010
【図１０】
0003691203.tif 000011